(57)【要約】【課題】  定着直後のシートの搬送速度の変化による擦れを防止することができると共に、放熱効率を高めることのできるシート搬送装置及びこれを備えた画像形成装置を提供する。【解決手段】  定着装置８と排紙部６９Ａとの間に設けたシート吸着搬送手段９１によってシートＰを吸着して搬送することにより、搬送ガイド対が不要となり放熱効率を高めることができる。また、シート吸着搬送手段９１の駆動源を定着装置８の駆動源と同一とし、定着直後のシートの搬送速度の変化をなくすようにすることにより、搬送速度の変化による擦れを防止することができる。【選択図】      図１
2006193234.tif 000002
【特許請求の範囲】
【請求項１】
定着装置によりトナー画像が定着されたシートを排紙部に搬送するシート搬送装置において、
前記定着装置と前記排紙部との間に前記シートを吸着して搬送するシート吸着搬送手段を設けることを特徴とするシート搬送装置。
【請求項２】
前記シート吸着搬送手段の駆動源を前記定着装置の駆動源と同一とすることを特徴とする請求項１に記載のシート搬送装置。
【請求項３】
前記シート吸着搬送手段は、前記シートのトナー画像定着面と反対側の面を吸着することを特徴とする請求項１又は２に記載のシート搬送装置。
【請求項４】
前記シート吸着搬送手段は、前記シートの両面にトナー画像を形成する場合は、先にトナー画像が定着された面を吸着することを特徴とする請求項３記載のシート搬送装置。
【請求項５】
前記シートをエアー吸引により前記シート吸着搬送手段に吸着させる複数の吸着手段と、
前記シートのサイズ及びシート厚の少なくとも一方を設定するシート情報設定手段と、
前記シート情報設定手段からの情報に基づき前記シート吸着搬送手段のシート吸着力を制御する制御手段と、
を備えたことを特徴とする請求項１乃至４のいずれか１項に記載のシート搬送装置。
【請求項６】
前記制御手段は、前記シート吸着搬送手段のシート吸着力を制御するよう前記シート情報設定手段からの情報に基づき前記複数の吸着手段のうちの所定の吸着手段を駆動することを特徴とする請求項５記載のシート搬送装置。
【請求項７】
前記制御手段は、前記シート吸着搬送手段のシート吸着力を制御するよう前記シート情報設定手段からの情報に基づき前記複数の吸着手段の吸着力の大きさを制御することを特徴とする請求項５記載のシート搬送装置。
【請求項８】
前記シートを前記シート吸着搬送手段に吸着させる静電気を発生する静電気発生手段と、
前記シートのサイズ及びシート厚の少なくとも一方を設定するシート情報設定手段と、
前記シート情報設定手段からの情報に基づき前記静電気発生手段の静電気発生量を制御して前記シート吸着搬送手段の吸着力を制御する制御手段と、
を備えたことを特徴とする請求項１乃至４のいずれか１項に記載のシート搬送装置。
【請求項９】
前記シート吸着搬送手段の下流側に除電手段を設け、該シート吸着搬送手段の静電吸着により搬送されてきたシートの除電を行なうことを特徴とする請求項８記載のシート搬送装置。
【請求項１０】
前記シート吸着搬送手段のシート吸着面側の空間を放熱空間とすることを特徴とする請求項１乃至９のいずれか１項に記載のシート搬送装置。
【請求項１１】
前記シート吸着搬送手段のシート吸着面に対向する位置にエアー吐出手段を設け、前記エアー吐出手段により、該シート吸着搬送手段によって吸着搬送されるシートに向けてエアーを吐出することを特徴とする請求項１乃至１０のいずれか１項に記載のシート搬送装置。
【請求項１２】
トナー画像を形成する画像形成部と、前記画像形成部により形成されたトナー画像が転写され、定着装置により前記トナー画像が定着されたシートを排紙部に搬送する前記請求項１乃至１１のいずれか１項に記載のシート搬送装置とを備えたことを特徴とする画像形成装置。
【発明の詳細な説明】
【技術分野】
【０００１】
本発明は、シート搬送装置及びこれを備えた画像形成装置に関し、特に定着装置と排紙部との間に設けられるシート搬送装置に関する。
【背景技術】
【０００２】
従来、複写機、ファックス、プリンタ等の画像形成装置における画像形成プロセスとしては、給紙部から１枚ずつ供給された転写紙等のシートに感光体上あるいは転写体上に担持されているトナー画像を転写し、定着装置でシート上のトナー画像を加圧、加熱して永久画像として定着するという周知の電子写真プロセスが用いられている。
【０００３】
ここで、このような電子写真プロセスを用いて画像を形成するようにした従来の画像形成装置において、シートは、まず給紙装置から繰り出され、レジストロ−ラにより給紙タイミングを設定された後に、転写部に搬送される。次に、転写部において感光体あるいは転写体上に担持されているトナー画像が転写され、この後、定着装置を通過して排紙部により排出される。
【０００４】
ところで、このように給紙装置から繰り出されシートは、シート搬送装置により転写部、定着装置、排紙部まで搬送されるが、従来定着装置から排紙部までの経路では図５に示すように、複数の搬送ローラ対１００〜１０２及び複数の搬送ガイド対１１０〜１１２により搬送されていた（例えば、特許文献１参照。）。
【０００５】
【特許文献１】特開平０５−０８０６１５号公報
【発明の開示】
【発明が解決しようとする課題】
【０００６】
ところが、このような従来のシート搬送装置を備えた画像形成装置では、定着装置を通過した直後のシート上の転写トナー画像は定着装置での加熱の影響で高温になっており、定着後冷却されたトナー画像に較べ、やわらかく擦れ等の外部影響に弱い状態になっている。
【０００７】
したがって、従来のシート搬送装置において、このように図５に示す定着装置１０３によりトナー画像が定着され、外部影響に弱い状態になっているシートを、搬送ローラ対１００〜１０２及び搬送ガイド対１１０〜１１２により排紙部１０３に搬送すると、画像面が擦れてトナー画像が劣化してしまう。
【０００８】
さらに、シートを挟持搬送する搬送ロ−ラ対１００〜１０２は、経時変化による摩耗、あるいは定着装置１０３において使用されるシリコンオイルの蒸発や転写部から発生するオゾンの影響により摩擦係数が変化することがあり、この場合、適正な搬送速度でシートを搬送することができない場合がある。また、同様に定着装置１０３に設けられ、シートを加圧及び加熱する定着ローラ対１０３ａ，１０３ｂもシートの突入ショック等の負荷変動の影響で搬送速度が変化してしまう場合がある。
【０００９】
そして、このように搬送経路内で搬送速度が変化すると、シートに弛みが生じ、この状態でシートを搬送すると、シートが搬送ガイド対１１０〜１１２に接触して擦られてしまいトナー画像が劣化してしまう。
【００１０】
なお、このような事態に対し、搬送速度が変化した場合、搬送速度を変化した後の速度に合わせるようにすることも考えられるが、定着装置１０３に至るまでの搬送速度を調整しようとすると、感光体及び感光体への静電潜像形成部である光学装置を始めとし、これにシートを給送する給紙系までも動作速度を変える必要が生じてしまい、制御が著しく困難となってしまう。
【００１１】
また、搬送ガイド対１１０〜１１２を設けた場合、既述したように搬送速度変化によりシートが接触してしまう場合があると共に、これら搬送ガイド対１１０〜１１２は閉鎖された空間を形成するため、この閉鎖空間内を定着装置１０３により高温に暖められたシートが搬送されると、放熱効率が悪くなる。
【００１２】
この結果、特に両面印刷時において、高温のシートが本体内部を循環することになり、本体昇温の原因となる他、屈曲搬送路ではカールの原因となり、排紙時には排紙接着の原因になっていた。
【００１３】
そこで、本発明は、このような現状に鑑みてなされたものであり、定着直後のシートの搬送速度の変化による擦れを防止することができると共に、放熱効率を高めることのできるシート搬送装置及びこれを備えた画像形成装置を提供することを目的とする。
【課題を解決するための手段】
【００１４】
本発明は、定着装置によりトナー画像が定着されたシートを排紙部に搬送するシート搬送装置において、前記定着装置と前記排紙部との間に前記シートを吸着して搬送するシート吸着搬送手段を設けることを特徴とする。
【発明の効果】
【００１５】
本発明のように、定着装置と排紙部との間に設けたシート吸着搬送手段によってシートを吸着して搬送することにより、搬送ガイド対が不要となり放熱効率を高めることができる。
【発明を実施するための最良の形態】
【００１６】
以下、本発明を実施するための最良の形態を図面を用いて詳細に説明する。
【００１７】
図１は、本発明の第１の実施の形態に係るシート搬送装置を備えた画像形成装置の一例であるカラーレーザプリンタの概略構成を示す図である。
【００１８】
図１において、Ａはカラーレーザプリンタ、Bはカラーレーザプリンタ本体（以下、プリンタ本体という）であり、このプリンタ本体ＢにはシートＰに画像を形成する画像形成部Ｃと、画像形成部ＣにシートＰを搬送するシート搬送部７と、定着装置８とが設けられている。また、このカラーレーザプリンタＡは、シートＰの裏面に画像を形成することができるようになっており、このため表面（一面）に画像が形成されたシートＰを反転させて再度、画像形成部Ｃに搬送する再搬送部Ｄが設けられている。
【００１９】
ここで、画像形成部Ｃは、イエロー（Ｙ）、マゼンタ（Ｍ）、シアン（Ｃ）及びブラック（Ｂｋ）の４色のトナー画像を形成するプロセスステーションＣ１〜Ｃ４を備えている。また、このプロセスステーションＣ１〜Ｃ４は、それぞれイエロー、マゼンタ、シアン及びブラックの４色のトナー像を担持し、矢印方向に回転する像担持体である感光体ドラム１（１ａ，１ｂ，１ｃ，１ｄ）、画像情報に基づいてレーザビームを照射して一定速度で回転する感光体ドラム上に静電潜像を形成するスキャナ２（２ａ，２ｂ，２ｃ，２ｄ）、感光体ドラム上に形成された静電潜像にイエロー、マゼンタ、シアン及びブラックのトナーを付着させてトナー像として顕像化する現像ユニット３（３ａ，３ｂ，３ｃ，３ｄ）と、転写後、感光体ドラム上に残った残留トナーを回収するクリーニング装置５（５ａ，５ｂ，５ｃ，５ｄ）、感光体ドラム表面を一様に帯電する不図示の帯電ローラ、前露光ランプ等を備えている。
【００２０】
シート搬送部７は、プリンタ本体下部に設けられ、複数枚のシートＰを収納した給紙カセット６１，６２と、この給紙カセット６１，６２に積載収納されたシートＰを送り出す給紙ローラ７１と、給紙ローラ７１から送り出されたシートＰを分離するための分離ローラ対７２と、レジストローラ対７４等を備えている。
【００２１】
そして、画像形成動作が開始されると、給紙ローラ７１と分離ローラ対７２とによりシートＰは給紙カセット６１，６２から一枚ずつ分離給送され、レジストローラ対７４に搬送される。ここで、このとき、レジストローラ対７４は停止状態であり、このようにレジストローラ対７４を停止状態とすることにより、シートＰの斜行を補正するようにしている。
【００２２】
さらに、このように斜行を補正した後、レジストローラ対７４は画像形成動作に同期するようにして駆動され、これによりシートＰは、感光体ドラム上に形成されたトナー像とシートＰの先端とが一致するタイミングで、後述する搬送ベルト４Ａに載置される。
【００２３】
なお、６３は手差しトレイであり、この手差しトレイ６３にセットされたシートＰは、給紙ローラ７３により、レジストローラ対７４に搬送されるようになっている。
【００２４】
ところで、図１において、４Ａは、駆動ローラ４１及び従動ローラ４２に張架され、感光体ドラム１の外周速度と同期して矢印方向に回転駆動される搬送ベルトであり、この搬送ベルト４Ａは、シートＰを載置した状態で各プロセスステーションＣ１〜Ｃ４の配列方向に沿って移動すると共に、内側には４個の、それぞれ感光体ドラム１と共に搬送ベルト４Ａを挟持し、転写部を構成する転写ローラ４（４ａ，４ｂ，４ｃ，４ｄ）が配されている。
【００２５】
そして、これら転写ローラ４から転写バイアスを印加することにより、感光体ドラム上の各色トナー画像が順次搬送ベルト４Ａにより搬送されているシートＰに転写され、シート上にフルカラー画像が形成されるようになっている。
【００２６】
定着装置８はシートＰ上に転写形成されたトナー画像をシートＰに定着させるものであり、シートＰに熱を加えるための加熱ローラ８１と、シートＰを加熱ローラ８１に圧接させるための加圧ローラ８２とを備えている。そして、トナー画像を保持したシートＰは加熱ローラ８１と加圧ローラ８２とにより挟持搬送されると共に熱及び圧力を加えられることによりトナー画像が定着されるようになっている。
【００２７】
また、この定着装置８の下流には吸着搬送装置９が設けられており、トナー画像が定着されたシートＰは、この吸着搬送装置９により搬送され、片面に画像を形成する片面印字の場合には、不図示のフラッパにより、排紙通路６８に導かれた後、排紙ローラ６９により排紙トレイ６４に排出される。
【００２８】
また、シートＰの両面に画像を形成する両面印字時の際には、吸着搬送装置９により搬送されたシートＰは、不図示のフラッパの切り替えにより反転パス６５に一旦導かれた後、反転ローラ７６の逆転により、送り込まれた際の後端を先頭にして、送り込まれた方向と反対向きに退出し、両面搬送パス６６へと送られ、この後、再度画像形成部Ｃに搬送されるようになっている。
【００２９】
次に、このように構成されたカラーレーザプリンタＡの画像形成動作について説明する。
【００３０】
画像形成動作が開始されると、まずスキャナ２（２ａ，２ｂ，２ｃ，２ｄ）からのレーザ光が、前露光ランプで除電した後、帯電器により表面が一様に帯電している感光ドラム１（１ａ，１ｂ，１ｃ，１ｄ）に照射され、これにより感光体ドラム上にイエロー（Ｙ）、マゼンタ（Ｍ）、シアン（Ｃ）及びブラック（Ｂｋ）のトナー潜像が形成され、この後、この潜像を現像ユニット３により現像することにより、それぞれの感光体ドラム上にイエロー、マゼンタ、シアン、ブラックのトナー画像が順次形成される。
【００３１】
また、このトナー画像形成動作に並行して、例えばシートカセット６１，６２に収容されたシートＰは、まず給紙ローラ７１によりピックアップされた後、分離ローラ対７２により１枚ずつ分離され、停止しているレジストローラ対７４に導かれて斜行が補正される。この後、レジストローラ対７４によって画像形成動作に同期するようにして転写ベルト４Ａに載置され、感光体ドラム１と転写ベルト４Ａとが圧接する転写部に搬送される。
【００３２】
次に、このように転写部に搬送されたシートＰに対し、各転写部に配置されトナーと逆極性の電圧を印加された転写ローラ４の作用により感光体ドラム１上の各色のトナー画像が、シート上に順次重ね合わせて転写される。そして、このように４色のトナー画像が多重転写されたシートＰは、転写ベルト４Ａの屈曲部において搬送方向先端から分離された後、搬送部７５を通り定着装置８に搬送される。
【００３３】
次に、シートＰは、この定着装置８において加熱及び加圧され、これによりシート上の各色のトナーは、溶融混色してシート上に固定される。この結果、フルカラーのプリント画像が永久画像としてシート上に定着される。
【００３４】
そして、このようにトナー像が定着されたシートＰは、定着装置８と排紙部６９Ａとの間に設けられた吸着搬送装置９により搬送され、片面に画像を形成する片面印字の場合には、この後、不図示のフラッパにより、排紙部６９Ａに設けられた排紙通路６８に導かれた後、排紙ローラ６９により排紙トレイ６４に排出される。
【００３５】
また、シートＰの両面に画像を形成する両面印字時の際には、不図示のフラッパの切り替えにより一旦、シートＰは反転パス６５に導かれた後、反転ローラ７６の逆転により、送り込まれた際の後端を先頭にして、送り込まれた方向と反対向きに退出し、両面搬送パス６６へと送られる。
【００３６】
この後、シートＰは両面搬送パス６６を通過し、両面搬送ローラ７７にて斜行補正とタイミング取りが行われ、この後、所望のタイミングにてレジストローラ７４へと搬送され、再び既述した画像形成工程によってもう一方の面に画像が転写される。そして、このようにもう一方の面に画像が転写された後、シートＰは定着装置８にてトナー画像が定着され、この後、吸着搬送装置９及び排紙ローラ６９を経て排紙トレイ６４に排紙される。
【００３７】
ところで、本実施の形態において、定着装置８の直後に設けられているシート搬送装置である吸着搬送装置９はエアー吸着によりシートを搬送するものであり、図２及び図３に示すように駆動ローラ９２及びテンションローラ９５により張設されるシート吸着搬送手段である無端ベルト９１と、無端ベルト９１の内側に設けられ、エアー吸引によりシートを無端ベルト９１に吸着させる吸着手段である吸引ファン９３を備えている。
【００３８】
ここで、エアー吸引によりシートを無端ベルト９１に吸着させる吸引ファン９３は、無端ベルト９１の移動方向と直交する幅方向に複数、本実施の形態においては、３つ並設されている。また、無端ベルト９１には吸引力の伝達が可能なように無数の穴９１ａが設けられている。
【００３９】
なお、図２において、８４は分離爪であり、この分離爪８４によりシートを加圧ローラ８２から分離するようにしている。また、９４は無端ベルト９１に対向して設けられたエアー吐出手段である冷却ファンであり、この冷却ファン９４により無端ベルト９１によって吸着搬送されているシートに向けてエアーを吐出し、シートを冷却するようにしている。
【００４０】
そして、このように構成された吸着搬送装置９において、定着装置８からシートが搬送されると、このシートを矢印方向に回転している無端ベルト９１に吸引ファン９３により発生しているエアー吸引力により吸着し、搬送するようにしている。
【００４１】
ここで、本実施の形態のように、定着装置８の直後にエアー吸着によりシートを搬送する吸着搬送装置９を設けることにより、搬送ローラ対や搬送ガイド対（図５参照）によってシートを搬送する場合のように、搬送ローラ対や搬送ガイド対によってトナー像が定着された後のシートの転写面を擦ることが無いようにしている。
【００４２】
そして、このように定着装置８の下流に無端ベルト９１を設け、搬送ローラ対や搬送ガイド対を設けないようにすることにより、転写面が擦られることによるトナー画像の劣化を防止することが可能になっている。なお、本実施の形態のように、シートを無端ベルト９１により吸着搬送するようにした場合、図２に示すように搬送方向が大きく変わる屈曲搬送部分においても、搬送ガイド対は不要となるので、搬送ガイド対によりシートの転写面が擦られるのを防ぐことができる。
【００４３】
さらに、本実施の形態のように、シートを吸着搬送する場合、無端ベルト９１の外側に搬送ガイド板を設ける必要がなくなるので、無端ベルト９１のシート吸着面側の空間を放熱空間とすることができ、搬送ガイド対を設けた場合に較べて放熱空間を大きくとることができる。
【００４４】
この結果、定着装置８における定着動作の際に加熱されたシートの放熱効率が良くなり、より早くトナー画像が冷やされ、この後の搬送ローラ対や搬送ガイド対によるシートの擦れ等の外部影響を受け難いトナー画像が得られる。また、高温のシートがプリンタ本体内を循環するのを防ぐことができ、本体昇温対策としても効果が得られる。さらに、早い段階でシート及びトナー画像が冷やされるので、屈曲搬送部でのカール対策や排紙時の排紙接着防止にも大きな効果が得られる。
【００４５】
そして、無端ベルト９１によるシート搬送距離を長くすればするほど、定着装置８における定着動作の際に加熱されたシート上のトナー画像を十分に冷やすことができるので、このような効果をより高めるためには吸着搬送装置９の長さを長くすることが好ましい。
【００４６】
さらに、無端ベルト９１に対向して冷却ファン９４を設けることにより、放熱効率、本体昇温、カール対策、排紙接着といった観点で、更に大きな効果が得られると共に、冷却ファン９４によりエアーを無端ベルト９１に向けて吐出することにより、吸着力の補助的役割を担うことも可能であり、すべりのないより安定した搬送を行うことができる。なお、無端ベルト９１に熱容量・熱伝導率のよい材料を用いることでも前述の効果は更に大きくなることは言うまでもない。
【００４７】
ところで、図３に示すように加熱ローラ８１は、ギア８５，８６を介してローラ軸８３の一端に伝達される定着駆動モータ８７の駆動により回転するようになっている。ここで、このローラ軸８３の他端には定着プーリ８８が設けられており、この定着プーリ８８と、無端ベルト９１の駆動ローラ９２の軸９２ａの一端部に設けられたプーリ９５とは、無端ベルト９６を介して連結されている。
【００４８】
これにより、定着駆動モータ８７の駆動は、ローラ軸８３、定着プーリ８８、無端ベルト９６、プーリ９５を介して駆動ローラ９２に伝達されるようになり、この結果、無端ベルト９１が回転するようになる。
【００４９】
つまり、本実施の形態においては、吸着搬送装置９の駆動源は、定着装置８の駆動源と同一の定着駆動モータ８７であり、このように駆動源と同一とすることで、加熱ローラ８１に負荷変動が生じて速度の変化が発生した場合でも、加熱ローラ８１と無端ベルト９１の間で速度差が生じないので、加熱ローラ８１と無端ベルト９１の間の速度差によるシートと無端ベルト９１の間の摺擦を抑えることができる。
【００５０】
そして、このように構成することにより、通常、シートのトナー画像定着面と反対側の面を吸着する無端ベルト９１が、シートの両面にトナー画像を形成する場合は、先にトナー画像が定着された面を吸着する場合でも、つまり転写面がシートの両面にあり、転写面を無端ベルト９１が吸着して搬送する場合でも、擦れの影響を最小限に抑えることができる。
【００５１】
ところで、本実施の形態においては、図３のように幅方向に３つ設けている吸引ファン９３を駆動する数、あるいは吸引力の大きさをシートサイズ、シート厚に応じて制御するようにしている。
【００５２】
例えば、小サイズ幅のシートを搬送する場合は、所定の吸引ファン、例えば中央付近の吸引ファンのみを駆動させるようにしている。これにより、低騒音化・省エネルギー効果を得ることができる。また、シートサイズ、シート厚により吸引力の大きさを制御することで、最適搬送力のばらつきに起因する搬送不良や、シートのコシの影響による搬送不良を防止することができる。
【００５３】
なお、このような制御を行うため、プリンタ本体Ｂには図１に示すように、搬送するシートのサイズ及びシート厚の少なくとも一方を設定するシート情報設定手段８５と、このシート情報設定手段８５により設定されたシート情報に基づいて駆動する吸引ファン９３又は吸引ファン９３の吸着力の大きさを制御する制御手段８６を設けている。
【００５４】
このように、定着装置８と排紙部６９Ａとの間に無端ベルト９１を設け、この無端ベルト９１によりシートを吸着して搬送することにより、搬送ガイド対が不要となり放熱効率を高めることができる。さらに、シートの冷却、本体昇温対策、カール低減、排紙接着防止を同時に高いレベルで達成することができる。
【００５５】
また、無端ベルト９１の駆動源を定着装置８の駆動源と同一とし、定着直後のシートの搬送速度の変化をなくすようにすることにより、搬送速度の変化による擦れを防止することができる。
【００５６】
ところで、これまでの説明においては、シートを無端ベルト９１にエアー吸引により吸着して搬送する場合について述べてきたが、本発明は、これに限らず、シートを無端ベルトに静電吸着して搬送するようにしても良い。
【００５７】
次に、このようなシートを無端ベルトに静電吸着して搬送するようにした本発明の第２の実施の形態について説明する。
【００５８】
図４は、本実施の形態に係るシート搬送装置の構成を示す図である。なお、図４において、図２と同一符号は、同一又は相当部分を示している。
【００５９】
図４において、９１Ａは導電性材料にて形成されたシート吸着搬送手段である無端ベルト、９７は帯電ローラであり、この帯電ローラ９７はバイアス電源９８により無端ベルト９１Ａを帯電させるようにしている。なお、９９は無端ベルト９１Ａの下流側に設けられた除電手段である除電針であり、静電吸着されて搬送されたシートの除電を行なうものである。
【００６０】
そして、このような構成のシート搬送装置においては、バイアス電源９８と共にシートを無端ベルト９１Ａに吸着させる静電気を発生する静電気発生手段を構成する帯電ローラ９７により無端ベルト９１Ａを帯電させると共に、このように帯電した無端ベルト９１Ａにより、上流の定着装置８より送られてきたシートを静電吸着搬送し、この後、搬送されてきたシートを除電針９９により除電して下流側の搬送路へと搬送するようにしている。
【００６１】
ここで、このようにシートを静電吸着により搬送するようにしても、転写面が擦れることはないので、トナー画像の劣化を最小限に抑えることができる。
【００６２】
ところで、本実施の形態においては、バイアス電源９８をシートサイズ、シート厚に応じて制御するようにしている。この場合、図１に示す制御手段８６は、シート情報設定手段からの情報に基づきバイアス電源９８を制御することにより静電気発生量を制御して無端ベルト９１Ａの吸着力を制御するようにしている。
【図面の簡単な説明】
【００６３】
【図１】本発明の第１の実施の形態に係るシート搬送装置を備えた画像形成装置の一例であるカラーレーザプリンタの概略構成を示す図。
【図２】上記シート搬送装置の概略構成を示す図。
【図３】上記シート搬送装置の上視図。
【図４】本発明の第２の実施の形態に係るシート搬送装置の概略構成を示す図。
【図５】従来のシート搬送装置の一例を示す図。
【符号の説明】
【００６４】
８        定着装置
９        吸着搬送装置
６９Ａ    排紙部
８１      加熱ローラ
８５      シート情報設定手段
８６      制御手段
８７      定着駆動モータ
９１      無端ベルト
９１Ａ    無端ベルト
９３      吸引ファン
９４      冷却ファン
９７      帯電ローラ
９８      バイアス電源
９９      除電針
Ａ        カラーレーザプリンタ
B        プリンタ本体
Ｃ        画像形成部
Ｐ        シート
【図１】
2006193234.tif 000003
【図２】
2006193234.tif 000004
【図３】
2006193234.tif 000005
【図４】
2006193234.tif 000006
【図５】
2006193234.tif 000007